(57)【要約】      （修正有）【課題】自然環境に配慮された不織布マスクを提供する。【解決手段】不織布マスク１は、複数の不織布フィルターを備える。複数の不織布フィルターは、生分解プラスチック製不織布またはバイオプラスチック製不織布で形成される。複数の不織布フィルターの少なくとも１つに抗菌剤処理または殺菌剤処理が施されている。複数の不織布フィルターは、外側不織布フィルター４と、外側不織布フィルター４に重ねられた中側不織布フィルター３と、中側不織布フィルター３に重ねられた口元不織布フィルター２と、を含んでいる。中側不織布フィルター３に抗菌剤処理または殺菌剤処理が施される。口元不織布フィルター２には、抗菌剤処理と殺菌剤処理とが施されない。【選択図】図１
0003220086.tif 000002
【実用新案登録請求の範囲】
【請求項１】
互いに重ねられた複数の不織布フィルターを備える不織布マスクであって、
前記複数の不織布フィルターは、生分解プラスチック製不織布またはバイオプラスチック製不織布で形成され、
前記複数の不織布フィルターの少なくとも１つに、抗菌剤処理または殺菌剤処理が施されたことを特徴とする不織布マスク。
【請求項２】
前記複数の不織布フィルターは、
外側不織布フィルターと、
前記外側不織布フィルターに重ねられた中側不織布フィルターと、
前記中側不織布フィルターに重ねられた口元不織布フィルターと、
を含み、
前記中側不織布フィルターに前記抗菌剤処理または前記殺菌剤処理が施され、
前記口元不織布フィルターには、前記抗菌剤処理と前記殺菌剤処理とが施されない請求項１に記載の不織布マスク。
【考案の詳細な説明】
【技術分野】
【０００１】
この考案は、不織布マスクに関する。
【背景技術】
【０００２】
従来、風邪あるいは花粉への対策用の不織布マスクが普及している。
【考案の概要】
【考案が解決しようとする課題】
【０００３】
近年ではプラスチック廃棄による海洋汚染が深刻化している。諸外国では使い捨てプラスチック袋の使用を禁止する動きが顕著になっている。最近ではレジ袋のみならず生鮮食品を包装する袋にも使い捨てプラスチックを禁止する動きがある。プラスチック製ストローの使用を禁止する流れもある。そこで、街に捨てられる不織布マスクの処理方法について鋭意検討を重ねた結果、自然環境が配慮された新規な不織布マスクが見出された。
【０００４】
この考案は、上述のような課題を解決するためになされたもので、自然環境に配慮された不織布マスクを提供することを目的とする。
【課題を解決するための手段】
【０００５】
この考案は、上記の目的を達成するため、互いに重ねられた複数の不織布フィルターを備える不織布マスクであって、前記複数の不織布フィルターは、生分解プラスチック製不織布またはバイオプラスチック製不織布で形成され、前記複数の不織布フィルターの少なくとも１つに、抗菌剤処理または殺菌剤処理が施されたことを特徴とする。
【考案の効果】
【０００６】
この考案によれば、生分解プラスチックまたはバイオプラスチックを用いて形成された複数の不織布フィルターが使用されているとともに、複数の不織布フィルターの少なくとも１つに抗菌あるいは殺菌の処理が施されることでマスクの性能も確保されている。これにより、自然環境が配慮された不織布マスクが提供される。
【図面の簡単な説明】
【０００７】
【図１】本考案の実施の形態にかかる不織布マスクの分解外観図である。
【考案を実施するための形態】
【０００８】
不織布マスクは、特殊医療用を除き、三層で構成されることが多い。以下、一般的な三層構造の不織布マスクが持つ仕様の一例を説明する。
【０００９】
一層目に当たる外側不織布フィルターの仕様は、一例として下記のとおりである。
対策：花粉・ウイルス(咳/クシャミの飛沫）のガード
遮断率試験：ＢＦＥ（バクテリアろ過率試験）／対象サイズ３μｍ
【００１０】
二層目に当たる中側不織布フィルターの仕様は、一例として下記のとおりである。
対策：インフルエンザウイルス・ウイルス飛沫（咳／クシャミの飛沫）のガード
遮断率試験：ＶＦＥ（生体ウイルス遮断効率試験）／対象サイズ０．１〜５．０μｍ
【００１１】
三層目に当たる口元不織布フィルターの仕様は、一例として下記のとおりである。
対策：インフルエンザウイルス・ウイルス単体（飛沫核）、ＰＭ２．５の捕集
遮断率試験：ＰＦＥ（ラテックス微粒子遮断効率試験）／対象サイズ０．１μｍ
さらに、口元不織布フィルターは頬に接する面なので、ソフトな柔らかさも要求される。
【００１２】
不織布の製造方法には、スパンボンド法およびメルトブロー法などが含まれる。メルトブロー法で得られる糸は、スパンボンド法のものに比して細いという特徴がある。
【００１３】
上記の一層目および三層目などの不織布フィルターには、スパンボンド法の不織布が用いられることも多い。これに対し、二層目の中側不織布フィルターは、インフルエンザウイルスを確実にガードする為に、メルトブロー法で製造されることが多い。ウイルスは約０．１μｍという微小な物体であり、インフルエンザウイルスも極めて微小だからである。
【００１４】
メルトブロー法は特殊な製法である。本考案者の知る限り、生分解プラスチックまたはバイオプラスチックを原料としてメルトブロー法で不織布を製造することに成功した企業は、現時点で国内外に存在しない。そこで、本考案者は、従来の技術的常識とは異なるアプローチで検討を進めた結果、不織布フィルターに抗菌剤または殺菌剤の効力をもたせてウイルス性細菌をガードするという技術に想到した。
【００１５】
図１は、本考案の実施の形態にかかる不織布マスク１の分解外観図である。不織布マスク１は、複数のフィルターが重ねられた三層構造の不織布マスクである。不織布マスク１は、口元不織布フィルター２と中側不織布フィルター３と外側不織布フィルター４とを備えている。
【００１６】
口元不織布フィルター２と中側不織布フィルター３と外側不織布フィルター４は、生分解プラスチックまたはバイオプラスチックで形成された不織布によって構築されている。生分解プラスチックは公知の材料であるため詳細な説明は省略する。バイオプラスチックは、バイオマスプラスチックとも称される公知の材料であるため詳細な説明は省略する。生分解プラスチックとバイオプラスチックは、従来の合成樹脂に比べて環境負荷が少ない。これらの材料を不織布マスクに応用することは、本考案者の知る限り、国内外で例がない新規な技術的思想である。
【００１７】
二層目の中側不織布フィルター３が持つ役割の特殊性に鑑みて、実施の形態にかかる不織布マスク１は、ウイルス性細菌が二層目つまり中側不織布フィルター３を通過しないように抗菌剤の効力でウイルス性細菌を遮断する。以下、中側不織布フィルター３に抗菌効果または殺菌効果をもたせる方法を説明する。
【００１８】
第一の方法として、不織布製造工程で、抗菌剤または殺菌剤を含む希釈溶液に不織布をデップ（浸漬）し、その後乾燥させてもよい。
【００１９】
第二の方法として、不織布製造工程で、上記希釈溶液を不織布にミスト（吹付け）し、その後乾燥させてもよい。
【００２０】
なお、上記希釈溶液に、消臭剤が添加されてもよい。複合的な異臭の発生を抑えるためである。
【００２１】
上記の方法を経て処理および乾燥された後の不織布を用いて、マスク製造工程が実施される。なお、不織布製造後の加熱処理は材料の熱収縮を考慮して実施されることが好ましい。
【００２２】
上記の方法によって中側不織布フィルター３に抗菌効果あるいは殺菌効果が付与されるので、中側不織布フィルター３がメルトブロー法で形成されていなくとも、不織布マスク１がウイルス性細菌等を遮断することができる。中側不織布フィルター３がスパンボンド法で形成された不織布フィルターであってもよく、外側不織布フィルター４および口元不織布フィルター２もスパンボンド法で形成された不織布フィルターを用いることができるので、メルトブロー法による不織布製造が困難な生分解プラスチックまたはバイオプラスチックを原料として不織布マスク１を構築することができる。
【００２３】
不織布マスク１は呼吸器官に触れるものであり、皮膚に接触するものである。そこで、使用される抗菌剤および殺菌剤は、事前にテーブルテストが実施される。
【００２４】
不織布の有効期限について説明する。生分解プラスチックは、他の合成樹脂がバインダーとして用いられることで、有効期限の長さを調節することができる。バイオプラスチックは、微生物による分解促進によって最終的に分解されるものであり、他の合成樹脂がバインダーとして用いられることでその分解速度を調整することができる。
【００２５】
バインダーを加えることで分解速度を遅らせることはできるが、厳密には、自然分解樹脂は「ポリ乳酸樹脂１００％」を指すと言われている。
【００２６】
上記実施の形態によれば、中側不織布フィルター３に抗菌効果または殺菌効果が付与され、外側不織布フィルター４および口元不織布フィルター２には抗菌効果と殺菌効果とが付与されていない。しかしながら、変形例として、口元不織布フィルター２と中側不織布フィルター３と外側不織布フィルター４の少なくとも１つに、抗菌効果または殺菌効果が付与されてもよい。
【符号の説明】
【００２７】
１  不織布マスク
２  口元不織布フィルター
３  中側不織布フィルター
４  外側不織布フィルター
【図１】
0003220086.tif 000003